(57)【要約】【課題】  携帯電話に於いて、匂いによる癒しの効果を持つとともに張付けることによって携帯電話の滑り止め、保護具として活用できる発光アクセサリーを提供する。【解決手段】  携帯電話に於いて、暗所にあって光ることにより所在を視認しやすく、張付ける位置によって携帯電話の滑り止め、保護具として活用でき、さらに匂いによる癒しの効果を与える、主に携帯電話に使用される張付けシールを提供する。【選択図】  図１
2006342205.tif 000002
【特許請求の範囲】
【請求項１】
蛍光発光体と芳香剤とを含有させたことを特徴とする、微細な連通孔を有する合成樹脂。
【請求項２】
蛍光発光体と芳香剤とを含有させたことを特徴とする紙。
【請求項３】
蛍光発光体と芳香剤とを含有させたことを特徴とする不織布。
【請求項４】
蛍光発光体と芳香剤とを混入させた糸を用いて織られたことを特徴とする織布。
【請求項５】
携帯電話に貼付けることを特徴とする、請求項１から請求項４のいずれか１つからなる貼付けシール。
【請求項６】
はがき、封筒等の郵便物および書籍等の刊行物に貼付けることを特徴とする、請求項１から請求項４の何れか１つからなる貼付けシール。
【請求項７】
請求項１から請求項４のいずれか１つからなる名刺およびカード。
【発明の詳細な説明】
【技術分野】
【０００１】
本発明は、発光性と芳香性とを有する貼付けシール及びカードと、それに用いる素材に関するものである。
【背景技術】
【０００２】
【特許文献１】特許第２９５１９０２号公報
【発明の開示】
【発明が解決しようとする課題】
【０００３】
解決しようとする問題点は、従来より市販されている貼付けシール、被覆保護材あるいは名刺等のカード類において、独自性を付与することにより他との差別化を図る。
【課題を解決するための手段】
【０００４】
本発明は、貼付けシールあるいは名刺等のカード類の素材に、蛍光発光体と芳香剤とを含有させることにより、視覚と嗅覚を通じて他との差別化を図ることを特徴とする。
【発明の効果】
【０００５】
本発明の芳香性と発光性を有する貼付けシール及びカードは従来用いられている素材に蛍光発光体と芳香剤とを含有させて製品に付加価値を与えることにより使用用途の拡大をはかることができ、告知媒体として配布されている販売促進品としても適用できる。
【発明を実施するための最良の形態】
【０００６】
本発明の１つである、蛍光発光体と芳香剤とを含有させたことを特徴とする、合成樹脂は、低分子量の化合物から、重合、重縮合、重付加などによって得られる高分子量の樹脂にいたる合成樹脂に、蓄光性蛍光体と芳香性の高いエッセンシャルオイル（植物精油）などを含有させたものである。
【０００７】
〈合成樹脂〉
本発明に用いられる合成樹脂は、石油、石炭、天然ガスのような化石資源を原料とした低分子量の化合物から、重合、重縮合、重付加などによって得られる高分子量の樹脂状物質を含むものである。
【０００８】
合成樹脂には、加熱すると軟化して塑性を示し任意の形に成形できるが、冷却すると固化する過程を可逆的に行うことができる熱可塑性樹脂と、加熱すると反応が起こって三次元高分子を生成すると同時に硬化を起こし、可塑性を再現できない熱硬化性樹脂とに大別することができ、熱可塑性樹脂としては、ポリエチレン、ポリプロピレン、ポリ塩化ビニル、ポリスチレンなどが挙げられる。また、熱硬化性樹脂としては、フェノール樹脂、メラミン樹脂、尿素樹脂、などが挙げられる。これらの合成樹脂に微細な連通孔を形成させることにより内部に含有されて閉じ込められた状態にある芳香剤は徐々に気体の状態で微細な連通孔を透過することになる。
【０００９】
〈芳香剤〉
芳香剤としては、エッセンシャルオイル（植物精油）の使用が適したものといえる。エッセンシャルオイルは、自然の植物の花、葉、根、果皮、樹皮などを蒸留して抽出した芳香性の高い濃縮されたオイルであり。きわめて揮発性の高い芳香成分で、空気中で容易に蒸発するものである。他に温められたり、指で摺ることにより揮発する香料の使用も適したものといえる。
【００１０】
〈蛍光発光体〉
本発明に用いられる蛍光発光体としては、次の一般式で示される特定組成を有する蓄光性蛍光体があげられる。
（Ｍｌ‐ｐ‐ｑ、ＥｕｐＱｑ）O・ｎ（Ａｌ１‐ｍＢｍ）２Ｏ３、
０．０００１≦ｐ≦０．５、
０．０００１≦ｑ≦０．５、
１．５≦ｎ≦３．０、
０≦ｍ≦０．５、
（ただし、組成式中のMはＭｇ、Ｃａ、Ｓｒ、Ｂａ、及びＺｎからなる２価金属の群より選ばれた少なくとも１種であり、Ｑは共付活剤でありＭｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ、及びＬｕからなる群より選ばれた少なくとも１種である。）これは、第２９５１９０２号特許公報に開示された「残光性蛍光体」と同様のものである。
【００１１】
紙類に。蛍光発光体と芳香剤とを混入させたことを特徴とする、貼付けシール及びカードは、和紙、洋紙、合成紙等の紙類に、前記蛍光発光体と芳香剤とを混入させたシートと、それを用いて作られた貼付けシール及びカードであり、素材である紙類に発光性と芳香性を持たせることによりその製品である貼付けシール及びカードに付加価値をもたせることになる。
【００１２】
蛍光発光体と芳香剤とが混入された不織布および蛍光発光体と芳香剤とが混入された糸を用いて織られたことを特徴とする織布は、前記蛍光発光体と芳香剤とを混入させた不織布及び、蛍光発光体と芳香剤とを混入させた糸を用いて織られたことを特徴とする織布である。
【００１３】
携帯電話に貼付けることを特徴とする、請求項１から請求項４のいずれか１つからなる貼付けシールは。前記蛍光発光体と芳香剤とを含有させた、合成樹脂、紙、或いは不織布および蛍光発光体と芳香剤とが混入された糸を用いて織られた織布からなる貼付けシールである。
【００１４】
はがき、封筒等の郵便物および書籍等の刊行物に貼付けることを特徴とする、請求項１から請求項４の何れか１つからなる貼付けシールは、前記蛍光発光体と芳香剤とを混入させた、合成樹脂、紙、或いは不織布および蛍光発光体と芳香剤とが混入された糸を用いて織られた織布からなる貼付けシールである。
【００１５】
請求項１から請求項４のいずれか１つからなる名刺及びカードは、前記蛍光発光体と芳香剤とを混入させた、合成樹脂、紙、或いは不織布及び蛍光発光体と芳香剤とが混入された糸を用いて織られた織布からなる名刺およびカードである。
【実施例】
【００１６】
以下、本発明の、芳香性と発光性を有するフィルム及びシートと、その使用方法を、図に示しながらさらに詳しく説明する。
【００１７】
図１は、請求項１に記載の微細な連通孔を有する合成樹脂の一例を示す模式図である。合成樹脂２に、蛍光発光体１０と芳香剤１４とが含有された状態でクレーズ４が形成されている。クレーズ４は、合成樹脂２の表面に現れる表面クレーズと内部に発生する内部クレーズを含むものであって、微細なひび状の模様を有する領域を言う。このクレーズは分子束（フィブリル）６と（ボイド）８から構成され、このうち連通孔が合成樹脂の厚み方向に貫通することにより通気性がもたらされる。
【００１８】
この発明に用いられる加工の容易な合成樹脂として、熱可塑性樹脂では特にアクリルやポリウレタン等が挙げられ、熱硬化性樹脂としては、エポキシやシリコーン等の樹脂があげられる。
【００１９】
また合成樹脂と天然樹脂を合わせてプラスチックまたは樹脂とよばれているプラスチックも、熱や圧力を加えることによって塑性流動性をもたせて目的とする形に成形できる高分子可塑性物質であり、熱可塑性プラスチックは加熱すると軟化し、冷却すると固化し可塑性を示し、熱硬化性プラスチックは、最初は低分子量の液体、または固体であり可塑性を示して成形できるため蛍光発光体と芳香剤の混入が容易であり加工に適した樹脂といえる。
【００２０】
以下、請求項１に記載の発明の１実施例をシリコーン樹脂を用いて説明する。シリコーン樹脂はケイ素樹脂ともいい、有機基をもつケイ素が酸素と交互に結合した結合を骨格にもった樹脂であり、シリコーンの原料としてはクロロトリメチルシラン（ＣＨ３）３ＳｉＣｌ、ジクロロジメチルシラン（ＣＨ３）２ＳｉＣｌ２、トリクロロメチルシランＣＨ３ＳｉＣｌ３がある、それぞれ、塩素の数によって一官能性、二官能性、三官能性である。これらは水と容易に反応してシラノール（ＣＨ３）４‐ｎＳｉ（ＯＨ） ｎ（ｎ＝１．２．３）となる。このとき発生する塩酸は脱水縮合を促進する。原料がＲ３ＳｉＣｌとＲ２ＳｉＣｌ２では分子量があまり大きくないシリコーン油が生成し、Ｒ２ＳｉＣｌ２では直線分子であるシリコーンゴムが得られ、Ｒ２ＳｉＣｌ２とＲＳｉＣｌ３では一部橋かけ型の狭義のシリコーン樹脂が得られる。
【００２１】
シリコーン樹脂には耐熱性、耐水性、電気絶縁性に優れている。シリコーンのハードコート樹脂は三官能性のシロキサンを主成分としてガラスのように硬い膜を形成する。成形用にはシリカの粉末、着色料、触媒を加えた熱硬化性樹脂粉末がある。
【００２２】
上記シリコーン樹脂に蛍光発光体と芳香剤とを混入させることにより芳香性と発光性を有する合成樹脂が形成される。
【００２３】
蛍光発光体として用いられる蓄光性蛍光体は、下記原料を上記組成となるように、混合機中で十分に混合し、大気中で１２００〜１６００℃程度の温度で数時間１次焼成した後、弱還元性雰囲気中で１２００〜１６００℃程度の温度で２次焼成し、その焼成品を粉砕し、篩にかけることにより得られる。
【００２４】
蓄光性蛍光体の原料としては、ＳｒＯ、Ａｌ２Ｏ３、Ｅｕ２Ｏ３、等の金属酸化物、ＳｒＣＯ３、等の焼成時の高温で容易に酸化物になる化合物が適している。そのほかにも、硝酸塩、シュウ酸塩、水酸化物等を用いることもできる。なお、発光特性が原料の純度に依存することから、これらの原料は９９．９％以上の純度を有することが必要であり、さらには９９．９９％以上であることが好ましい。
【００２５】
蓄光性蛍光体の組成中に硼素が含まれることにより、硼アルミン酸として蛍光体母体（アルミネート）の結晶性が改善される。また、発光中心と捕獲中心が安定化し蓄光輝度が高められる等、残光時間（光の照射停止後、蓄光性蛍光体の残光を暗闇で視認できる時間）及び、残光輝度が改善される。硼素を組成に導入するためには、硼素を含んだ化合物をフラックスとして加え焼成する方法が有効である。このような化合物としては、硼酸あるいはアルカリ土類元素の硝酸塩が使用でき、特に硼酸が好ましい。添加した硼酸の殆どが蓄光性蛍光体の組成に導入される。硼素は、アルミニウムを置換する硼素量ｍが０．０００１〜０．５の範囲に属するように添加されることが好ましく、より好ましいのは０．００５〜０．２５の範囲で、最も好ましいのは０．０５付近である。この硼素の導入は蓄光性蛍光体の改善のみならず、ガラス状の蓄光性焼成体の熱膨張率を低下させるうえで有効である。
【００２６】
上記蓄光性蛍光体は、基本的に付活剤である２価のＥｕによる強い発光を呈するが、２価のＥｕは可視光から紫外域の広範囲に吸収があるため、自然光のような広範囲な波長域で励起され高効率の発光を示す。従って、太陽光はもちろん、白熱電球、蛍光灯のような人工の照明によっても励起され発光する。
【００２７】
蓄光性蛍光体に導入する付活剤、共付活剤は蛍光色や残光輝度に関係し、実用のためにはその濃度範囲が重要である。例えば、蓄光性蛍光体に導入する付活剤Ｅｕの濃度ｐの好ましい範囲は０．００１〜０．０６である。
【００２８】
共付活剤が、Ｍｎ、Ｚｒ、Ｎｂ、Ｐｒ、Ｎｄ、Ｇｄ、Ｔｂ、Ｄｙ、Ｈｏ、Ｅｒ、Ｔｍ、Ｙｂ、及びＬｕからなる群より選ばれた少なくとも１種であることについては既に説明したが、この共付活剤としては、前記群のうちから２種類を選んで使用することが好ましい。この２種類の使用の場合、第１の共付活剤と第２の共付活剤とに分けて考えることができる。第１の共付活剤としては、Ｄｙ、Ｎｄ、Ｐｒ、Ｈｏ及びＥｒが主として使用される。蛍光体組成式中の２価金属MがＳｒの場合、Ｄｙ、Ｐｒ、Ｔｍ、Ｈｏ及びＥｒは残光輝度向上に効果的であり、この場合発光色は青緑域にある。
【００２９】
第１の共付活剤としてＤｙを選択した場合、発光性能に及ぼすＤｙ濃度ｑの最適範囲は０．０００５〜０．０３である。第１の共付活剤としてＤｙを選択し、第２の共付活剤としてＭｎを選択した場合、Ｍｎ濃度ｑの好ましい範囲は０．０００１〜０．０６で、さらに好ましい範囲は０．０００５〜０．０２である。第１の共付活剤としてＤｙを選択し、第２の共付活剤としてＴｍを選択した場合、Ｔｍ濃度ｑの好ましい範囲は０．０００３〜０．０２で、さらに好ましい範囲は０．０００４〜０．０１である。. 第１の共付活剤としてＤｙを選択し、第２の共付活剤としてＬｕを選択した場合、Ｌｕ濃度ｑの好ましい範囲は０．０００１〜０．０６で、さらに好ましい範囲は０．０００４〜０．０４である。第１の共付活剤としてＤｙを選択し、第２の共付活剤としてＮｄを選択した場合、Ｎｄ濃度ｑの好ましい範囲は０．０００１〜０．０８で、さらに好ましい範囲は０．０００３〜０．０４である。
【００３０】
第１の共付活剤としてＤｙを選択し、第２の共付活剤としてＹｂを選択した場合、Ｙｂ濃度ｑの好ましい範囲は０．０００２〜０．０４で、さらに好ましい範囲は０．０００３〜０．０１である。第１の共付活剤としてＤｙを選択し、第２の共付活剤としてＺｒを選択した場合、Ｚｒ 濃度ｑの好ましい範囲は０．００２〜０．７０である。 第１の共付活剤としてＤｙを選択し、第２の共付活剤としてＥｒを選択した場合Ｅｒ濃度ｑの好ましい範囲は０．０００１〜０．０３で、さらに好ましい範囲は０．０００５〜０．０２である。第１の共付活剤としてＤｙを選択し、第２の共付活剤としてＰｒを選択した場合、Ｐｒ濃度ｑの好ましい範囲は０．０００１〜０．０４で、さらに好ましい範囲は０．０００５〜０．０３である。
【００３１】
２価金属、付活剤、共付活剤の酸化物の総モル数と、アルミナ及び硼酸の総モル数がほぼ１：２、すなわちｎ＝２である場合、硼素の置換が１モル％程度の低濃度では、仕込み組成から生成すべきＳｒＡｌ４Ｏ７の構造を示すが、硼素がこれよりも高濃度では、Ｓｒ４Ａｌ１４Ｏ２５構造とＳｒＡｌ１２Ｏ１９構造の混合物となる。
【００３２】
これらの結晶構造の中で蓄光性蛍光体の母体として特に重要なのはＳｒ４Ａｌ１４Ｏ２５構造であり、これは斜方晶系に属する。硼素を所定量導入することにより結晶構造が変化し、残光性が改善される。特にｎ＝１．７５付近の場合、ピーク波長４９０ｎｍの青緑色発光が最も強くなり、原料仕込み量から期待される通りの高純度のＳｒ４Ａｌ１４Ｏ２５構造の蓄光性蛍光体が得られる。この蓄光性蛍光体は耐熱性と耐候性に優れている。このＳｒ４Ａｌ１４Ｏ２５構造の蓄光性蛍光体は１．５≦ｎ≦３．０の範囲で得られ、特に１．７≦ｎ≦２．１の範囲で主成分として得られる。
【００３３】
芳香剤として用いられるエッセンシャルオイル（植物精油）は、自然の植物の花、葉、根、果皮、樹皮などを蒸留して抽出した芳香性の高い高品質の大変濃縮されたオイルです。きわめて揮発性の高い芳香成分で、空気中で容易に蒸発する。エッセンシャルオイルの抽出法としては蒸気蒸留法、オレンジ等の柑橘系に使う圧搾法、溶剤抽出法（Ａｂｓ.と標示）の３つがあげられている。
【００３４】
エッセンシャルオイルの香りは、トップノート、ミドルノート、ベースノートの３つに分類される。それぞれの特徴を次に記載する。１．トップノート  きわめて揮発性が高く、香りが長続きすることはないがブレンドした際その芳香の第一印象をつくりだす。フルーツ系、メンソール系がある。２．ミドルノート  香りは、少し長続きし、ブレンドした時にゆっくりと漂ようフローラル系。３．ベースノート  揮発しにくく、香りが長続きしブレンドした他の香りを保留する働きをする。樹脂系、スパイス系がある。
【００３５】
上記蓄光性蛍光体と芳香剤を、和紙、洋紙、合成紙等の紙類に製紙時に混入することにより紙類に芳香性と発光性が付加されることになる。織物の場合、不織布においては同様に製織時に蓄光性蛍光体と芳香剤が混入されるが織布においては製糸の過程で混入されることが望ましい。
【００３６】
芳香性と発光性を有する合成樹脂、紙、不織布および織布を用いて作られた貼付けシール、名刺およびカードは、視覚と嗅覚に存在感を与えることにより告知媒体として配布されている販売促進品としての活用が期待される。
【００３７】
はがき、封筒等の郵便物および書籍等の刊行物に貼付ける場合にば他の郵便物および書籍等に移り香等のすることがないようにシール表面がフィルム等で被覆される。
【００３８】
本発明の貼付けシールはシリコーンやポリウレタン等の弾力性を有する合成樹脂を用いた場合、携帯電話に貼付けることにより滑り止め、緩衝材の役割を担うことになる。
【図面の簡単な説明】
【００３９】
【図１】請求項１に記載の蛍光発光体と芳香剤とを含有し微細な連通孔を有する合成樹脂の模式図。
【図２】本発明の一使用例として携帯電話に貼付けた状態の説明図。
【符号の説明】
【００４０】
２    合成樹脂
４    クレーズ
６    分子束（フィブリル）
８    連通孔（ボイド）
１０    蛍光発光体
１４    芳香剤
１６    弾力性合成樹脂
１８    携帯電話
【図１】
2006342205.tif 000003
【図２】
2006342205.tif 000004